Podtech/llm-jp-corpus-v4-ja_patent huggingface dataset:
(57)【要約】      （修正有）【課題】子供がヘルメットをかぶった状態でも頭部がレインカバー上部に接触することを防止出来、子供の身長が伸びてもレインカバーの装着が可能となる自転車用チャイルドシートのレインカバー取り付け用アダプターを提供する。【解決手段】レインカバー上部の最大高が子供の頭の高さよりも高い位置なるように、取り付け位置を変更可能な支柱つきヘッドガード１１をチャイルドシート１０に取り付ける。【選択図】図１
0003189379.tif 000002
【実用新案登録請求の範囲】
【請求項１】
自転車用のチャイルドシートに取り付けることにより、レインカバーを支えることが可能となる装置。
【請求項２】
自転車用のチャイルドシートに取り付けることにより、レインカバーの取り付け位置を変更することが可能となる装置。
【考案の詳細な説明】
【考案の概要】
【考案が解決しようとする課題】
【０００１】
子供乗せ自転車のチャイルドシートにレインカバーを装着した場合、レインカバー上部の最大高はチャイルドシートのヘッドガードの高さに依存する。乗車中の子供はヘルメットをかぶるため、チャイルドシートの使用年齢や身長が適正な範囲であったとしても、ヘッドガードの高さよりもヘルメットの高さが高くなることがある。その場合、子供は頭でレインカバーを支えなくてはならなくなり、正常なレインカバーの装着が困難になるばかりか、子供にも不快感を与えてしまう。
本発明は、上述したような問題点を解決するためのものである。
【課題を解決するための手段】
【０００２】
レインカバー上部の最大高が子供の頭の高さよりも高い位置なるように、取り付け位置を変更することが可能となる当発明品である装置をチャイルドシートに取り付け、従来よりも高い位置にレインカバーを装着する。
【考案の効果】
【０００３】
この発明品を取り付けることにより、チャイルドシートのヘッドガードの高さよりも高い位置にレインカバーを装着することを可能とし、子供の頭部の高さよりもレインカバー上部の最大高を上に上げることが可能となる。これにより、子供がヘルメットをかぶった状態でも頭部がレインカバー上部に接触することを防止出来るため、発明品未装着時よりも長い期間において、子供の身長が伸びてもレインカバーの装着が可能となる。
【０００４】
この発明品を取り付けることにより、ヘッドガードが無いためにレインカバーの取り付けが不可能だったチャイルドシートにも、レインカバーの装着が可能となる。
【図面の簡単な説明】
【０００５】
【図１】この発明品の具体例斜視図を示す。
【図２】この発明品本体の斜視図を示す。
【図３】この発明品本体の展開図を示す。
【図４】この発明品の具体例斜視図を示す。
【符号の説明】
【０００６】
1  発明品本体
2  チャイルドシート（ヘッドガードなしのタイプ）
3  子供乗せ自転車ハンドル部分
4  発明品前部支柱
5  発明品後部支柱
6  発明品上部支え
7  発明品正面図
8  発明品上面図
9  発明品側面図
10  チャイルドシート（ヘッドガードありのタイプ）
11  チャイルドシートヘッドガード
【図１】
0003189379.tif 000003
【図２】
0003189379.tif 000004
【図３】
0003189379.tif 000005
【図４】
0003189379.tif 000006
【手続補正書】
【提出日】平成25年12月20日(2013.12.20)
【手続補正１】
【補正対象書類名】実用新案登録請求の範囲
【補正対象項目名】請求項１
【補正方法】変更
【補正の内容】
【請求項１】
自転車用のチャイルドシートに取り付けることにより、レインカバーを支えることが可能となる、チャイルドシートのヘッドガードのような形状のものに支柱を取り付けた構造を有するレインカバー取り付け用のアダプター。
【手続補正２】
【補正対象書類名】実用新案登録請求の範囲
【補正対象項目名】請求項２
【補正方法】変更
【補正の内容】
【請求項２】
自転車用のチャイルドシートに取り付けることにより、レインカバーの取り付け高さを変更することが可能となる、チャイルドシートのヘッドガードのような形状のものに支柱を取り付けた構造を有する請求項１ のレインカバー取り付け用のアダプター。
(57)【要約】      （修正有）【課題】絵を描くときの筆記具の交換を画面の近くで効率よく行うことが出来る筆記具収納ケースを提供する。【解決手段】色鉛筆などの筆記具を収納する外箱１の外面１ｂを、画用紙７を載せる平面とし画用紙７の端部７ａを外面１ｂより外側に食み出して、外箱１にクリップ止めするための係止部２を設けてなり、画用紙７やスケッチブックなどの筆記用紙をクリップ８により係止部２に止めて一体化する。【選択図】図２
0003189375.tif 000002
【実用新案登録請求の範囲】
【請求項１】
筆記具を収納する箱形ケースの外面を、筆記用紙を載せる平面とし、前記筆記用紙の端部を前記外面より外側に食み出して、前記箱形ケースにクリップ止めするための係止部を設けてなることを特徴とする筆記具収納ケース。
【請求項２】
筆記具を収納する箱形の前記収納ケースの外面に、前記筆記用紙の補強のための板状体をクリップ止めするように設けられていることを特徴とする請求項１記載の筆記具収納ケース。
【請求項３】
前記筆記具収納ケースが、複数の筆記具を整列させた状態で収納する箱体ケースであり、その箱体ケース内には、前記筆記具を押圧するすべり止め部材が設けられていることを特徴とする請求項１記載の筆記具収納ケース。
【考案の詳細な説明】
【技術分野】
【０００１】  本考案は、筆記具を収納する収納ケースに関するものである。
【背景技術】
【０００２】  従来、写生する場合は、筆記具（例えば、色鉛筆、鉛筆、パステルなど）を蓋をつけた筆記具収納ケース（以下、収納ケース）に入れて持ち歩いて描いている。
【考案の概要】
【考案が解決しようとする課題】
【０００３】  前記筆記具を使用して写生する場合、多くの本数を収納ケースに入れて持ち歩くが、収納ケースは、単に偏平な蓋をつけたもので、筆記具を交換して描く場合、蓋を開けて手に持ち続けることが出来ず、収納ケースを身体から離して下に置かねばならない。また、首などより収納ケース（特願２０１３−１７２６８９、特願２０１３−１７２６９０）を吊るし、出来るだけ姿勢を変えることなく筆記具を手にとるようにしているが、更に、これらの動作も省略することが出来る収納ケースを実現することを目的とするものである。
【課題を解決するための手段】
【０００４】  そして、本考案は、上記目的を達成するもので、本考案の第１の課題解決手段は、筆記具を収納する箱形の収納ケースの外面を筆記用紙（画用紙、スケッチブック、はがきなど）を載せる平面とし、前記筆記用紙の端部を、前記外面より外側に食み出して前記収納ケースにクリップにて止めるための係止部が設けられている構成になっている。【０００５】  また、第２の課題解決手段は、筆記具を収納する箱形の収納ケースの外面に、前記筆記用紙の補強のための板状体をクリップするように設けられる構成になっている。【０００６】  また、第３の課題解決手段は、前記収納ケースが複数の筆記具を整列させた状態で収納する箱形ケースであり、その箱体ケース内には、前記筆記具の挿脱を規制するすべり止め部材が設けられている構成になっている。【０００７】  つぎに、上記第１の課題解決手段による作用は、次の通りである。すなわち、本考案の収納ケースは、前述のごとく、収納ケースの外面に筆記用紙を収納ケースより食み出すように載せて、筆記用紙と一体化するように係止部にクリップ止めするようになっている。【０００８】  つぎに、第２の課題解決手段による作用は、次の通りである。すなわち、前記筆記用紙には、収納ケースより大形で厚みが薄くたわみが大きくなるものがあり、これを板状体に載せ補強してクリップ止めするようにしている。【０００９】  つぎに、第３の課題解決手段による作用は次の通りである。すなわち、本考案の収納ケースは、複数の筆記具を整列させた状態で収納し、使用時には、筆記具が挿脱以外は収納ケースより筆記具の自重により抜け出ることがない様にすべり止め部材が設けられている。
【考案の効果】
【００１０】  本考案の筆記具を収めた収納ケースは、筆記用紙を取りつけ、両者を一体化することが出来るため、写生する場合には、これらを手に持てば、筆記具の交換は、最も画面の近くで効率よく行うことが出来る。【００１１】  筆記用紙をクリップ止めする本考案の収納ケースの係止部を薄くし、収納ケースより食み出させているため、スケッチブックなど部厚いものも容易にクリップ止めすることが出来る。【００１２】  筆記用紙の端部を係止するため、本考案の収納ケースより大形の筆記用紙を使える。【００１３】  本考案の収納ケースと筆記用紙を一体化するため、両者を着脱せず、そのまゝ収納出来る。【００１４】  本考案の収納ケースを画板（市販）の端部に取りつけて使用することが出来る。
【図面の簡単な説明】
【００１５】
【図１】本考案の筆記具収納ケースの実施例を示す斜視図
【図２】本考案の収納ケースに筆記用紙を取りつけた実施形態を示す斜視図
【考案を実施するための形態】
【００１６】  以下、添付図面に従って一実施例を説明する。
【００１７】  図において、１は箱形で、小口１ａから筆記具である色鉛筆（以下、鉛筆）６を縦方向より収納するようにした収納ケース（特願２０１３−１７２６９０）の外箱であって、小口１ａが解放され、つまみ３を取りつけて鉛筆６の一方をすべり止め部材５を介して支えている支持具４を収納している。また、外箱１は、外面１ｂに画用紙７を載せるとゝもに画用紙７の端部７ａをクリップする係止部２を設けている。なお、係止部２は、厚みを薄くし、外箱１より食み出して設けている。
【００１８】  つぎに、上記構成の動作を説明する。
【００１９】  先づ始めに、使用時には、外箱１の外面１ｂに画用紙７を載せ、その端部７ａをクリップ８により係止部２に止める。
【００２０】  つぎに、外箱１を手に持ち、つまみ３を矢印方向に小口１ａに向って移動させ、鉛筆６を外箱１の外に出し、これを取り出す。
【００２１】  そして、外面１ｂに載せた画用紙７に向って描く。
【００２２】  また、外箱１より食み出す大形の画用紙７に描く場合は、別のクリップにて端部７ｂを他の係止部２ａに追加して止めることが出来る。
【００２３】  なお、大形の画用紙で薄い場合は、板状体である下敷を介して取りつける。（図示なし）
【００２４】  その他、鉛筆６の自重による収納ケースよりの落下を防ぐため、すべり止め部材５または、５ａが設けられている。
【符号の説明】
【００２５】１    外箱
１ａ  小口
１ｂ  外面
２    係止部
２ａ  係止部
３    つまみ
４    支持具
５    すべり止め部材
５ａ  すべり止め部材
６    色鉛筆
７    画用紙
７ａ  端部
７ｂ  端部
８    クリップ
【図１】
0003189375.tif 000003
【図２】
0003189375.tif 000004
(57)【要約】      （修正有）【課題】安全性能が向上する自動車の方向指示器を提供する。【解決手段】自動車の前部および後部方向指示器ランプに、Ｕターン指示器を組み入れる。【選択図】図１
0003189353.tif 000002
【実用新案登録請求の範囲】
【請求項１】
自動車の方向指示器と、方向指示器ランプに、自動車Ｕターン指示器を組み入れる。
【考案の詳細な説明】
【技術分野】
【００１】本考案は自動車の方向指示器に関する。
【背景技術】
【００２】自動車のＵターン方向指示器。
【考案の概要】
【考案が解決しようとする課題】
【００３】自動車の方向指示器と、方向指示器ランプに自動車Ｕターン指示器を組み入れる。
【考案の効果】
【００４】自動車Ｕターン指示器を取り付けることで安全性能が良くなる。
【図面の簡単な説明】
【００５】
【図１】本考案の自動車Ｕターン指示器ランプの正面図。
【考案を実施するための形態】
【００６】自動車の方向指示器に、自動車Ｕターン指示器を組み入れる。
自動車前部ランプ、後部ランプに自動車Ｕターン指示器を組み入れる。
【図１】
0003189353.tif 000003
【手続補正書】
【提出日】平成25年10月9日(2013.10.9)
【手続補正１】
【補正対象書類名】実用新案登録請求の範囲
【補正対象項目名】全文
【補正方法】変更
【補正の内容】
【実用新案登録請求の範囲】
【請求項１】
自動車の方向指示器と、方向指示器ランプに自動車Ｕターン指示器を組み入れることを特徴とする自動車Ｕターン指示器。
【手続補正書】
【提出日】平成25年12月5日(2013.12.5)
【手続補正１】
【補正対象書類名】実用新案登録請求の範囲
【補正対象項目名】全文
【補正方法】変更
【補正の内容】
【実用新案登録請求の範囲】
【請求項１】
方向指示器ランプに自動車Ｕターン指示器を組み入れたことを特徴とする自動車の方向指示器。
(57)【要約】      （修正有）【課題】ソーラパネルの発電時間とそれに属する蓄電池の蓄電時間との短縮を図ったレンズ付きソーラパネルを提供する。【解決手段】大、小は問わず、ソーラパネル３と凸レンズ１の組み合わせをもって一対にしたものである。ソーラパネルのサイズ１３５ｘ６５ｘ６５ｍｍの四方から、直径７ｃｍの凸レンズを支える高さ２５ｃｍ位のやぐら方の支柱２を作り、その支柱上部真ん中に凸レンズを取付けたことを特徴とする。【選択図】図１
0003189354.tif 000002
【実用新案登録請求の範囲】
【請求項１】
ソーラパネル上に数ミリセンチメートルから数千ミリセンチメートル以上のある間隔を空けた上層部に凸（トツ）レンズの大小に関係なく凸レンズの設置取り付けを特徴したソーラパネルでソーラパネルの大きさでは複数の凸レンズの設置取り付けを特徴とするソーラパネルである。
【考案の詳細な説明】
【考案の詳細な説明】
【０００１】本考案はソーラパネルの発電時間とそれに属する蓄電池の蓄電時間との短縮の考案である、ソーラパネルの上層部に凸レンズを設置取り付けることによってソーラパネル本体にその凸レンズを通じて多量の太陽光をより早く集中的にとり得ることができ短時間での発電能力が発揮同時に蓄電池も属して短時間で蓄電される事である。
よって多くの電気が長時間使用できる。
【技術分野】
【０００２】本考案は太陽光発電に関するものである。
【考案の概要】
【０００３】
【考案が解決しようとする課題】
【０００４】従来のソーラパネルの発電とそれに属する蓄電に長時間かかる。
【課題を解決するための手段】
【０００５】ソーラパネル上層部に凸レンズを設置取り付けた。
【考案の効果】
【０００６】ソーラパネルの発電と連結蓄電が短時間になり長時間電気を使用できる。
【図面の簡単な説明】
【０００７】
【図１】ソーラパネルの上層部に凸レンズを設置取り付けた図と蓄電池の図
【考案を実地するための形態】
【実施例】
【０００８】図１  ▲３▼ソーラパネルの上層部に▲１▼凸レンズを設置▲３▼のソーラパネルで得た発電気を▲４▼の蓄電池に蓄電、電力源になる
【符号の説明】
【０００９】図１  ▲１▼  凸レンズ          ▲２▼  凸レンズを支える支柱
▲３▼  ソーラパネル      ▲４▼  蓄電池
▲５▼  通電線
【図１】
0003189354.tif 000003
【手続補正書】
【提出日】平成25年10月15日(2013.10.15)
【手続補正１】
【補正対象書類名】実用新案登録請求の範囲
【補正対象項目名】全文
【補正方法】変更
【補正の内容】
【実用新案登録請求の範囲】
【請求項１】
大、小は問わず、ソーラパネルと凸レンズの組み合わせをもって一対にしたものである、
ソーラパネルのサイズ１３５ｘ６５ｘ６５ｍｍの四方から、直径７ｃｍの凸レンズを支える高さ２５ｃｍ位のやぐら形の支柱を作り、その支柱上部真ん中に凸レンズを取り付けた固定型と太陽光ナビゲーションコントローラーの形状を特徴とした
レンズ付きソーラパネル。
【手続補正書】
【提出日】平成25年12月12日(2013.12.12)
【手続補正１】
【補正対象書類名】実用新案登録請求の範囲
【補正対象項目名】全文
【補正方法】変更
【補正の内容】
【実用新案登録請求の範囲】
【請求項１】
大、小は問わず、ソ―ラパネルと凸レンズの組み合わせをもって一対にしたものである、
ソ―ラパネルのサイズ１３５ｘ６５ｘ６５ｍｍの四方から、直径７ｃｍの凸レンズを支える高さ２５ｃｍ位のやぐら方の支柱を作り、その支柱上部真ん中に凸レンズを取付けたことを特徴としたレンズ付きソーラパネル。
(57)【要約】      （修正有）【課題】ガードルの上部に付くゴムがめくれにくくするガードルを提供する。【解決手段】本体２に腰当て布４と尻当て布５を縫い付け表と裏を貼り合わせた前身頃３とマチ部６を接続しウエストベルト７を用いたことを特徴とするガードルで、ウエストベルト７が付く本体２と腰当て布４と尻当て布５をウエスト位置ａの巾からウエスト上辺部ｂを全周で３から１０ｃｍ伸ばす事により本体２にゆとりが出来、体の動きや椅子に座る動作でウエストベルト７がめくれにくくなることを特徴とするガードル。【選択図】図１
0003189358.tif 000002
【実用新案登録請求の範囲】
【請求項１】
本発明のガードルはウエストからひざ上までの丈で構成する本体２にお腹を押さえる前身頃３にマチ部６を接続し、ウエスト廻りから腰を押さえる腰当て布４と脇側から尻下にかかる尻当て布５を本体２の裏面に付け、本体２の上部にウエストベルト７を用い、前身頃３と腰当て布４と尻当て布５は、左右対称に配置し、本体２、前身頃３、腰当て布４と尻当て布５と裏側のマチ部６は横方向に連結し、裏側の前身頃３と表側のマチ部６は縦方向に連結することにより、ウエストベルトの折れ曲がりを軽減し、後足の付け根にかけた当て布によるお尻の引き上げとお腹を押さえて裾口の段差解消することを特徴とするガードル。
【請求項２】
ウエストベルト６が付く本体２と腰当て布４と尻当て布５をウエスト位置ａの巾からウエスト上辺部ｂを全周で３から１０ｃｍ伸ばす事により本体２にゆとりが出来、体の動きや椅子に座る動作でウエストベルト７がめくれにくくなることを特徴とする請求項１記載のガードル。
【考案の詳細な説明】
【技術分野】
【０００１】  本考案は、ガードルの腹部、腰部、側面部に伸縮性に優れた生地を縫い付けたガードルに関する。
【背景技術】
【０００２】  ガードル着用時にゴムによるウエストベルトが折れ曲がる事によりウエスト補正の妨げになっていた。
【考案の概要】
【考案が解決しようとする課題】
【０００５】ウエストの補正効果を保ちながらウエストベルトの折れ曲がりを軽減し後足の付け根にかけた当て布によるお尻の引き上げとお腹を押さえて裾口の段差解消を追求したものである。
【課題を解決するための手段】
【０００６】本体２に腰当て布４と尻当て布５を縫い付け表と裏を貼り合わせた前身頃３とマチ部６を接続しウエストベルト７を用いたことを特徴とするガードル。
【考案の効果】
【０００７】体の動きや椅子に座る動作によるウエストベルトのめくれを防止。
【図面の簡単な説明】
【０００８】
【図１】本考案のガードルの構成（前面）である。
【図２】本考案のガードルの構成（後面）である。
【考案を実施するための形態】
【０００９】本発明のガードルはウエストからひざ上までの丈で構成する本体２にお腹を押さえる前身頃３にマチ部６を接続し、ウエスト廻りから腰を押さえる腰当て布４と脇側から尻下にかかる尻当て布５で、本体２の裏面に付けお尻を持ち上げる効果を実現し、本体２の上部にウエストベルト７を用いたことを構成である。前身頃３と腰当て布４と尻当て布５は、左右対称に配置され本体２、前身頃３、腰当て布４と尻当て布５と裏側のマチ部６は横方向伸縮に連結されており、裏側の前身頃３と表側のマチ部６は縦方向伸縮に連結して構成する。
【００１０】ウエストベルト６が付く本体２と腰当て布４と尻当て布５をウエスト位置ａの巾からウエスト上辺部ｂを全周で３から１０ｃｍ伸ばす事により、本体２にゆとりが出来、体の動きや椅子に座る動作でウエストベルト７がめくれにくくなる。
【産業上の利用可能性】
【００１２】ハイウエスト丈の商品全てに適応できる。
【符号の説明】
【００１３】１    ガードル
２    本体
３    前身頃
４    腰当て布
５    尻当て布
６    マチ部
７    ウエストベルト
ａ  ウエスト位置
ｂ  ウエスト上辺部
【図１】
0003189358.tif 000003
【図２】
0003189358.tif 000004
【手続補正書】
【提出日】平成25年11月22日(2013.11.22)
【手続補正１】
【補正対象書類名】明細書
【補正対象項目名】０００９
【補正方法】変更
【補正の内容】
【０００９】ウエストからひざ上までの丈で構成する本体（２）にお腹を押さえる前身頃（３）にマチ部（６）を接続し、ウエスト廻りから腰を押さえる腰当て布（４）と脇側から尻下にかかる尻当て布（５）で、本体（２）の裏面に付けお尻を持ち上げる効果を実現し、本体（２）の上部にウエストベルト（７）を用いた構成であり、前身頃（３）と腰当て布（４）と尻当て布（５）は、左右対称に配置され本体（２）、前身頃（３）、腰当て布（４）と尻当て布（５）とマチ部（６）の裏生地は横方向伸縮に連結されており、前身頃（３）の裏生地とマチ部（６）の表生地は縦方向伸縮に連結した構成を特徴とするガードル。
【手続補正２】
【補正対象書類名】明細書
【補正対象項目名】００１０
【補正方法】変更
【補正の内容】
【００１０】ウエストベルト（７）が付く本体（２）と腰当て布（４）と尻当て布（５）をウエスト位置ａの巾からウエスト上辺部ｂを全周で３から１０ｃｍ伸ばす事により、本体（２）にゆとりが出来、体の動きや椅子に座る動作でウエストベルト（７）がめくれにくくなることを特徴とするガードル。
【手続補正３】
【補正対象書類名】実用新案登録請求の範囲
【補正対象項目名】全文
【補正方法】変更
【補正の内容】
【実用新案登録請求の範囲】
【請求項１】
ウエストからひざ上までの丈で構成する本体（２）にお腹を押さえる前身頃（３）にマチ部（６）を接続し、ウエスト廻りから腰を押さえる腰当て布（４）と脇側から尻下にかかる尻当て布（５）で、本体（２）の裏面に付けお尻を持ち上げる効果を実現し、本体（２）の上部にウエストベルト（７）を用いた構成であり、前身頃（３）と腰当て布（４）と尻当て布（５）は、左右対称に配置され本体（２）、前身頃（３）、腰当て布（４）と尻当て布（５）とマチ部（６）の裏生地は横方向伸縮に連結されており、前身頃（３）の裏生地とマチ部（６）の表生地は縦方向伸縮に連結した構成を特徴とするガードル。
【請求項２】
ウエストベルト（７）が付く本体（２）と腰当て布（４）と尻当て布（５）をウエスト位置ａの巾からウエスト上辺部を全周で３から１０ｃｍ伸ばす事により、本体（２）にゆとりが出来、体の動きや椅子に座る動作でウエストベルト（７）がめくれにくくなることを特徴とする請求項１に記載のガードル。
(57)【要約】      （修正有）【課題】宣伝広告の効果の高いハイヒールを提供する。【解決手段】ハイヒール１０１の靴底１０のうち、前部の接地面１とかかと部５との間に位置し、着用時に地面から浮く部分である中間部３に、宣伝広告１１が付されている。また、かかと部の、地面に接しない部分である周面に、宣伝広告１３が付されている。宣伝広告は、宣伝広告が印刷などされたシールを、中間部あるいはかかと部に貼付したものでもよく、中間部あるいはかかと部に直接、刻印あるいは印刷がなされたものであってもよい。あるいは、立体的な形状のものを、中間部あるいはかかと部に取り付けたものであってもよい。宣伝広告は、いずれも、地面に接しない部分に付されるので、着用者が路上を歩行などする際にも、周囲の人々の目に触れ易い。【選択図】図１
0003189308.tif 000002
【実用新案登録請求の範囲】
【請求項１】
靴底のうち地面に接する部分を除く部分に、宣伝広告を付してなるハイヒール。
【請求項２】
前記宣伝広告を付した前記部分が、柱状のかかと部の周面である、請求項１に記載のハイヒール。
【請求項３】
前記宣伝広告を付した前記部分が、前部の接地面とかかと部との間の靴底の面である、請求項１に記載のハイヒール。
【考案の詳細な説明】
【技術分野】
【０００１】
本考案は、ハイヒールに関し、特に、宣伝広告の媒体としての機能を付加したハイヒールに関する。
【背景技術】
【０００２】
従来、この種の靴として、特許文献１に記載のものが知られている。特許文献１に開示される技術は、靴底のうち地面と接する部分に、滑り止め機能や歩行時の衝撃を和らげる機能などの実用的な機能のみならず、他人に見せるお洒落としての機能、あるいは宣伝の広告媒体としての機能を付加しようとするものである。
【０００３】
しかし、特許文献１に開示される技術は、靴底のうち地面と接する部分に、新たな機能を付加しようとするものであることから、着用者以外の周囲の者の目には、比較的触れ難く、宣伝広告の機能においても効果が薄い、という問題点があった。
【先行技術文献】
【特許文献】
【０００４】
【特許文献１】特開2 0 0 7 - 7 3 6 0号公報
【考案の概要】
【考案が解決しようとする課題】
【０００５】
本考案は上記の問題点に鑑みてなされたもので、宣伝広告の効果の高いハイヒールを提供することを目的とする。
【課題を解決するための手段】
【０００６】
上記課題を解決し上記目的を達成するために、本考案のうち第１の態様によるものは、ハイヒールであって、靴底のうち地面に接する部分を除く部分に、宣伝広告を付してなるものである。
【０００７】
この構成によれば、ハイヒールが高いかかと部を有するために、着用して歩行などする際においても、地面に接しない靴底の部分に付された宣伝広告が、他人の目に触れ易い。靴底であるから階段を上る際には、特に目に触れ易い。意外性もあることから、小スペースながら宣伝効果が得られる。また、着用者にも周囲の注目や関心が集まることから、かかる注目を望む利用者の着用に特に適する。なお、本考案において「靴底」とは、かかと部を含む靴の底部の外面の全体を意味する。
【０００８】
本考案のうち第２の態様によるものは、第１の態様によるハイヒールであって、前記宣伝広告を付した前記部分が、柱状のかかと部の周面であるものである。
【０００９】
この構成によれば、特に目に触れ易いかかと部の周面に宣伝広告が付されるため、より高い宣伝効果が得られる。
【００１０】
本考案のうち第２の態様によるものは、第１の態様によるハイヒールであって、前記宣伝広告を付した前記部分が、前部の接地面とかかと部との間の靴底の面であるものである。
【００１１】
この構成によれば、宣伝広告が付される部分が比較的広いスペースをなすため、比較的大きなサイズの宣伝広告を付することができる。
【考案の効果】
【００１２】
以上のように本考案によれば、宣伝広告の効果の高いハイヒールが実現する。
【図面の簡単な説明】
【００１３】
【図１】本考案の一実施の形態によるハイヒールを例示する外観斜視図である。
【考案を実施するための形態】
【００１４】
図１は、本考案の一実施の形態によるハイヒールの構成を示す外観斜視図である。このハイヒール１０１においては、靴底１０のうち、前部の接地面１とかかと部５との間に位置し、着用時に地面から浮く部分である中間部３に、宣伝広告１１が付されている。また、かかと部５のうち、地面に接しない部分である周面に、宣伝広告１３が付されている。宣伝広告１１，１３は、宣伝広告が印刷などされたシールを、中間部３あるいはかかと部５に貼付したものでもよく、中間部３あるいはかかと部５に、刻印あるいは印刷がなされたものであってもよい。あるいは、立体的な形状のものを、中間部３あるいはかかと部５に取り付けたものであってもよい。
【００１５】
宣伝広告１１，１３は、いずれも、地面に接しない部分に付されるので、着用者が路上を歩行などする際にも、周囲の人々の目に触れ易い。階段を上るときには、特に目に触れ易くなる。また、一瞬間目に触れることによるサブリミナル効果も期待される。さらに、着用者へも注目が集まることから、ハイヒール１０１は、人目を惹きたい利用者の着用にも適する。
【００１６】
宣伝広告１１，１３は、文字によるものでもよいが、いずれも、小スペースに付されるものであることから、図形による宣伝広告に特に適する。例えば、宣伝広告１３として、かかと部５が柱状であることを利用して、理容店の螺旋の標章を付することにより、理容店（例えば理容店業界全体）の宣伝広告とすることもできる。宣伝広告１１として、例えば、特定の店舗の標章（現実に存するか否かは不明）としてのピンクリボンを立体的に付することも可能である。
【００１７】
ハイヒール１０１では、宣伝広告１１，１３が、２つの部位に同時に付されているが、当然ながら、一方の部位に一方のみを付してもよい。また、ハイヒール１０１は、一対をもって着用に供されるものであるが、宣伝広告１１，１３は、一対の双方に付されていても良く、一方のみに付されていてもよい。また、一対の一方と他方との間で、付される部位、宣伝広告の内容、形状等において、異なる宣伝広告１１，１３が付されていてもよい。
【産業上の利用可能性】
【００１８】
本考案のハイヒールは、宣伝広告の効果を高めるという付加的な機能を有しており、靴の新たな需要をもたらすものであり、靴産業上有用である。
【符号の説明】
【００１９】
１  接地面
３  中間部
５  かかと部
１０  靴底
１１，１３  宣伝広告
【図１】
0003189308.tif 000003
(57)【要約】      （修正有）【課題】ストッキングを着用した時、その日の洋服のデザインによって貼る場所や模様を変えることができるストッキング用装飾シールを提供する。【解決手段】ベロア調の布や、合成ゴムの素材に、立体的な切り絵をイメージした様々なデザイン２を切り抜き、裏面に粘着剤が塗布されているので、繰り返しストッキングに貼る事ができることを特徴とする。【選択図】図１
0003189305.tif 000002
【実用新案登録請求の範囲】
【請求項１】
ベロア調のハイミロン素材や合成ゴムを使用し、花、蝶、幾何学模様、浮世絵等の模様を、切り絵のように切りぬき、裏面に粘着剤が塗布されていることを特徴とする、装飾シール。
【考案の詳細な説明】
【技術分野】
【０００１】
この考案は、ストッキング等に貼れる装飾シールに関する。
【背景技術】
【０００２】
従来の、ワンポイント付きストッキングや、タトゥータイツは、ストッキングに直接プリントされているものである。
【先行技術文献】
【特許文献】
【０００３】
【特許文献１】実願平４−７６３６６
【特許文献２】実願平６−４１３８
【考案の概要】
【考案が解決しようとする課題】
【０００４】
しかしながら、以上の形状によれば、ストッキングの全体や、一部にワンポイントとして、プリントされているので、その日のファッションによって、ストッキングの模様の位置を動かすこともできず、ワンパターンでしかなかった。また、プリントされているスットキングは、高価であるが消耗品であるため、伝線してしっまたら使用不能になってしまう。
そこで、この考案は、ストッキングを着用した時、その日の洋服のデザインによって貼る場所や模様を変えることを課題とする。
【課題を解決するための手段】
【０００５】
以上の課題を解決するために、第一考案は、反復使用が可能なことを特徴とする、ストッキング用装飾シールである。
【考案の効果】
【０００６】
第一考案によれば、ストッキングにつける装飾品の裏に粘着剤を付けたので、取り外しができる。
【図面の簡単な説明】
【０００７】
【図１】この考案の、一実施形態を示した平面図である。
【図２】従来技術を示した無地のストッキングの平面図である。
【考案を実施するための形態】
【０００８】
この考案の一実施形態を、図1に示す。
本案のシールは、ベロア調のハイミロンを使った布地や、合成ゴム等を使用し、立体的な切り絵をイメージし、様々なデザイン（花、蝶、幾何学模様、浮世絵等）の絵柄の外形に沿って切り抜き、裏面に、粘着剤を付けて、自由に好きな場所に、貼り付ける事ができる。
また他の実施形態では、Tシャツ等繊維類に付けたりすることもできる。
【符号の説明】
【０００９】
1  無地のストッキング
2  図柄
【図１】
0003189305.tif 000003
【図２】
0003189305.tif 000004
(57)【要約】      （修正有）【課題】近視矯正レーシック手術後の後遺症や眼の疾病などによる自律神経障害で発症するドライアイからの乾燥や痛みの症状などを軽減するドライアイマスクを提供する。【解決手段】ドライアイマスク本体Ａは無色透明の素材、食品包装用品のラップフイルム１やポリエチレン、薄いポリ塩化ビ二一ルの柔軟性を利用し長方形に形成する。ドライアイマスク本体１の両サイドに延び縮みが出来る、ゴム紐４ａ，４ｂを設け、両耳にゴム紐を掛けて眼を覆い被せて、眼を保護する。外気からの刺激を避け、角膜の乾燥から発症する、痛みや開閉運動障害などのドライアイ症状からの結膜炎や角膜炎などの疾病の悪化を防止し症状の軽減に役立つ。【選択図】図１
0003189386.tif 000002
【実用新案登録請求の範囲】
【請求項１】
ドライアイマスク本体（Ａ）は無色透明の素材、食品包装用品のラップフイルム（１）やポリエチレン、薄いポリ塩化ビ二一ルの柔軟性を利用し長方形に形成した、ドライアイマスク本体（１）の両サイドに延び縮みが出来る、ゴム紐（４ａ）（４ｂ）を設け、両耳（６ａ）（６ｂ）にゴム紐を掛けて眼を覆い被せて、眼を保護するところを特徴とする、ドライアイマスクである。
【考案の詳細な説明】
【０００１】本考案のドライ，アイ、マスクは、眼の疾病ドライアイを解決する為に食品包装用のラップ、フイルム（１）やポリエチレン、薄い塩化ビニ一ルなどを長方形に成形し、両サイドに伸び縮みが出来る、伸縮のゴム紐を設けた。ドライ、アイ、マスクに関するものである。
【背景枝術】
【０００２】本考案は、両眼に装着し外界の刺激から眼の角膜の乾燥を防ぐマスク、ドライアイを発症した場合、眼科に受診し医師に処方された、点眼薬や従来から使用している、ドライアイ専用メガネを掛けて治療するが症状によっては、既存のドライアイ専用メガネを使用しても、メガネフレ一ムと眼窩と顔の皮膚との間の気密性が保てないために発汗作用で生じた、眼窩や顔から発しられた、汗や水蒸気などが漏れ，外気も侵入し治療効果も少なく、病状も進行する場合があつた。
【考案の開示】
【考案が解決しようとする課題】
【０００３】頭部や顔面部の怪我や病気でなどの副作用や後遺症で自律神経障害による、ドライアイを発症し角膜の乾燥と眼の開閉障害で角膜に傷が付く、角膜炎、結膜炎、最悪の場合には、失明する可能性も高く、眼科医師に処方された。点眼薬、ドライアイ専用メガネは、眼窩や顔の皮膚に蜜着性が悪いと蒸気漏れで、効果は薄く、角膜の乾燥で眼の症状は進行する。ドライアイマスク本体（Ａ）で眼球全体を覆い、眼の乾燥を防止して、保護をするのが特徴である。
前述の欠点を解決しょうとするものである。
【課題を解決する手段】
【０００４】本考案はドライアイ、マスクの素材は無色透明ポリエチレンやポリ塩化ビニ一ルや食品包装用ラップフィルム（１）や薄いナイロンなどを使用し、ドライアイマスク本体（Ａ）のラップフィルム（１）横方向の両端の折りシロ（２ａ）（２ｂ）を内測に折り、両端の折りシロを縫い合わせ（３ａ）（３ｂ）を設け、両端の折りシロ（２ａ）（２ｂ）の上端部（５ａ）と下端部（５ｂ）に適当の長さに切った。ゴム紐（４ａ）（４ｂ）を輪状して、ゴム紐の先端を圧着か縫い合わせて取り付け、出来上がつた。ドライアイマスク本体（Ａ）のゴム紐（４ａ）（４ｂ）を両耳（６ａ）（６ｂ）に掛け、眼を覆うように目隠し状態にして、風や外気の刺激による、角膜の乾燥を避ける、皮膚から発生する水蒸気や汗を活用し、保湿性で滑らかさと潤いを保ち皮膚に蜜着し易く絡み付くような、柔軟性と軽量で加工がし易く、使用後汚れたら、衛生上何度でも、すぐに取り替えられるように、安価で作る事が出来る、このような利点を活用して作成した。
【考案の効果】
【０００５】本考案のドライアイ、マスク（Ａ）は食品包装用ラップフィルム（１）や薄いポリエチレンなどは手や物に絡み付く、柔らかさと皮膚に貼り付く、密着度の高い利点を活用し、近視の矯正レ一シック手術後の後遺症や眼の疾病のドライアイ患者に使用するには最適である。レ一シック手術後の副作用や自律神経障害による、涙液の分泌不足や外気による刺激などで、角膜が乾燥して傷ができ、結膜炎や角膜炎などによる、眼の開閉障害などの治療と悪化防止に役立つ、ラップフィルム（１）の利点を活用し、眼球全体を覆いかぶせて、風や外気の刺激を避け、眼窩や顔面からの発汗作用よる、汗と蒸気で眼球全体が蒸れて、湿り気を生み出し、角膜に潤いを与え、瞼を滑らかにし、開閉運動が楽に出来るようにした。
【考案の実施するための最良の形態】
【０００６】長方形のドライアイ本体（Ａ）のラップフィルムの両側（１）の折りシロ（２ａ）（２ｂ）を縫い合わせた、折りシロ（２ａ）（２ｂ）の上端部（５ａ）と下端部（５ｂ）に適当に切った、ゴム紐（４ａ）（４ｂ）を輪状にして、ゴム紐の先端を折りシロ（５ａ）（５ｂ）に圧着か縫い合わせ、ゴム紐が付いた。ドライアイマスク本体（Ａ）のゴム紐（４ａ）（４ｂ）を両耳（６ａ）（６ｂ）に掛け、口腔マスクの様な形態しており、眼窩の両眼の部位に覆い被せ、風や外気の刺激を避ける、無色透明のラップフィルム（１）を使用している事で、視界には、影響が少ない様に構成した、ドライアイ、マスクである、ドライアイ症状が増悪し、乾燥が強い場合には、ドライアイ、マスク本体の下に、視界が効く穴が開けられ、水で濡れたガ一ゼや布で眼を覆い、ガ一ゼや布から生じた、水蒸気による保湿性を保てるような構成にした。
【施行例】
【０００７】以下、添付図面に従って、実施例を説明する。ドライアイマスク本体（Ａ）は無色透明なポリエチレンやポリ塩化ビニ一ル（１）などの適宣素材にて、一本化形成された、ドライアイマスク本体（Ａ）のラップ，フイルム（１）の両サイドの折り代（２ａ）（２ｂ）を折って，（２ａ）（２ｂ）を縫い合わせ、縫い代（３ａ）（３ｂ）を設け、折り代（２ａ）（２ｂ）の上端部（５ａ）と下端部（５ｂ）にゴム紐（４ａ）（４ｂ）を設け、ドライアイマスクの装着時には．位置固定方向マ一クを表裏か上下の一定方向に決め．ドライアイ本体（Ａ）で両眼全体を覆い、ゴム紐（４ａ）（４ｂ）を両耳（６ａ）（６ｂ）に掛けて使用する。
【図面の簡単な説明】
【０００８】以下添付図面に従って説明する。
【図１】ドライアイ、マスク本体  正面図
【図２】ドライアイ、マスクを掛けている  実施図
【図３】穴が開けられ濡れガ一ゼや布で眼に装着した。  正面図
【図４】濡れガ一ゼや布で覆い目隠をした状態の  正面図
【符号の説明】
【０００９】（Ａ）                ドライアイ、マスク本体
（１）            素材．ポリエチレン，塩化ビニ一ル，ラップ．フイルム
（２ａ）（２ｂ）      のり代
（３ａ）（３ｂ）      縫い代
（４ａ）（４ｂ）      伸縮ゴム紐
（５ａ）（５ｂ）      ゴム紐を装置する部位
（６ａ）（６ｂ）              耳
（７）              穴が空けられたガ一ゼ、布
（８）              マスク装着時位置方向固定マ一ク
【図１】
0003189386.tif 000003
【図２】
0003189386.tif 000004
【図３】
0003189386.tif 000005
【図４】
0003189386.tif 000006
(57)【要約】【課題】  できる限り自然の力を利用し、既存の知識・技術を活用しながら、自然放置の状態で作動できるような「風のエネルギー」を「水のエネルギー」に替える技術を提供することにある。【解決手段】  風車Ａ〜Ｊと水車ａ〜ｊは、連結装置Ａ’〜Ｊ’により、風車が回れば、水車が回る仕掛けになっている。また、貯水槽ａ’〜ｊ’は、段階状に配置され、その中に水車ａ〜ｊを直列に配置し水を満たす。最下部の貯水槽ａ’には常に水が流れ込む様にする。各風車Ａ〜Ｊが回れば、連結装置Ａ’〜Ｊ’によって各水車ａ〜ｊが回り、貯水槽ａ’の溜り水は順次各貯水槽ａ’→ｂ’→ｃ’・・・に満たされ最上部の貯水槽ｊ’を満たしてダムｋに流れ込む。【選択図】  図１
0003189449.tif 000002
【実用新案登録請求の範囲】
【請求項１】
水車に風車を組合せて連動させることによって風力で水車を逆回転させる水車を段階状に複数台備えて、下部の水をくみ上げて、上部に流して溜める操作を繰返し水を高い位置に貯水することを特徴とした風のエネルギーを水のエネルギーに替える装置。
【請求項２】
各水車には、下部から汲み上げられた水を貯水しつつ上部に汲み上げるための貯水槽を備えるとともに、最下部の貯水槽には常に水が流れ込むことを特徴とした請求項１記載の風のエネルギーを水のエネルギーに替える装置。
【考案の詳細な説明】
【技術分野】
【０００１】
本願考案は、再生可能エネルギー（クリーンエネルギー）に関するものである。
【背景技術】
【０００２】
再生可能エネルギー（クリーンエネルギー）の１つである「風のエネルギー」を「水のエネルギー」に替える技術として、特許文献１〜３に挙げられるようなものがある。
【０００３】
特許文献１には、風力でポンプを動かし、低位置の貯水槽（又は貯水池）から高位置の貯水槽（貯水池）へ、段階的に順次水を吸い上げて、常時、水の循環を図りながら行う水力発電法が開示されている。
【０００４】
特許文献２には、下部貯水池と上部貯水池との間に配置された管路、この管路内に配置され、上記下部貯水池内の水を上部貯水池に送るポンプ、このポンプを駆動する風車を備えた揚水装置が開示されている。
【０００５】
特許文献３には、一つの汲み上げ装置と該汲み上げ装置によりくみ上げられた水を保存するための一つの貯水装置とを具え、汲み上げ装置は複数の天然流体中に設置された吸水動力機と、各一つの吸水動力機に駆動されると共に水源と連通するポンプとを具え、一方、貯水装置はポンプと相互に連通する濾過槽と、ポンプと濾過槽の間に設置されて水の逆流を防止する逆止め弁と、濾過槽の水を収集する貯水槽とを具え、天然流体を吸水動力機に直接作用させて、吸水動力機に低水位の水を濾過槽に汲み上げさせ、それを浄化後に高い位置にある貯水槽に保存し、貯水槽の水を下に流して、外接の水力発電機に発電を行わせる天然流体動力利用の汲み上げ式発電用集水設備が開示されている。
【先行技術文献】
【特許文献】
【０００６】
【特許文献１】特開昭５２−１５４９４０号公報
【特許文献２】実開昭６０−０２３２７１号公報
【特許文献３】特開平１１−０３７０３７号公報
【考案の概要】
【考案が解決しようとする課題】
【０００７】
上記した特許文献１〜３は、確かに再生可能エネルギー（クリーンエネルギー）の１つである「風のエネルギー」を利用して、これを「水のエネルギー」に替える技術であるが、水を汲み上げるためにいずれも「ポンプ」を使用している。
【０００８】
これに対して、本願考案者は、できる限り自然の力を利用し、既存の知識・技術を活用しながら、自然放置の状態で作動できるような「風のエネルギー」を「水のエネルギー」に替える技術の提供を目的として、鋭意研究・開発の末に本願考案の完成に至った。
【課題を解決するための手段】
【０００９】
本願考案の第１の考案は、水車に風車を組合せて連動させることによって風力で水車を逆回転させる水車を段階状に複数台備えて、下部の水をくみ上げて、上部に流して溜める操作を繰返し水を高い位置に貯水することを特徴とした風のエネルギーを水のエネルギーに替える装置である。
第２の考案は、各水車には、下部から汲み上げられた水を貯水しつつ上部に汲み上げるための貯水槽を備えるとともに、最下部の貯水槽には常に水が流れ込むことを特徴とした同風のエネルギーを水のエネルギーに替える装置である。
【考案の効果】
【００１０】
本願考案は、次の特徴を有する。
（１）既存の知識・技術を活用出来，理解し易い。
自然放置の状態で作動出来れば理想的である。
（２）放射能や引火爆発による障害がなく，安全である。
但し、風，雨，嵐，台風，地震，等の自然現象、及び材料の腐蝕，劣化等に対して    充分注意工夫した設計施工が必要となる。
（３）水車と水槽の位置を、段々高く配置して行き、水を、上に、上に、とくみ上げ、流    して溜め，最終的に位置のエネルギーの高い水を、貯水出来る方法であるから、飲料    水，工業用水，農業用水の貯蔵のみでなく、海水其の他の液体にも応用出来る。一例    として、海水を貯水すれば、加圧ポンプなしで塩分除去フィルターに導入濾過して飲    料水を収得出来、又放流して天日製塩を行う事も出来る。
（４）水力発電も可能である。
上述の如くこの考案は、風と水と云う自然の力により、貯水と共にエネルギーの蓄    積が出来る方法、装置である事を特徴とする。なお、水車の補助部材として風車の力    で直接又は間接的に各種ポンプを動かす事もこの考案に含まれる。
【図面の簡単な説明】
【００１１】
【図１】第１図は風車と水車の組合わせを示した略図。
【図２】第２図は水車の働きを示した略図。
【考案を実施するための形態】
【００１２】
図１及び図２により考案の実施形態を説明する。
風車ＡＢＣ・・・と水車ａｂｃ・・・は、連結装置Ａ’Ｂ’Ｃ’・・・により、風車が回れば、水車が回る仕掛けになっている。
また、貯水槽ａ’ｂ’ｃ’・・・は、段階状に配置され、その中に水車ａｂｃ・・・を直列に配置し水を満たす。
最下部の貯水槽ａ’には常に水が流れ込む様にする。
【００１３】
各風車ＡＢＣ・・・が回れば、連結装置Ａ’Ｂ’Ｃ’・・・によって各水車ａｂｃ・・・が回り、貯水槽ａ’の溜り水は順次各貯水槽ａ’→ｂ’→ｃ’・・・に満たされ最上部の貯水槽ｊ’を満たしてダムｋに流れ込む。
【００１４】
巾１ｍ直径３ｍ浸水部約１ｍの水車ａｂｃ・・・を１０基直列に設置して、各々１分間に１３０回転させた時、上部貯水の水頭は１０ｍ、流量は毎分９ｍ3ぐらいになり、１日の貯水量は１３０００ｍ3位になると推定する。
【産業上の利用可能性】
【００１５】
本願考案は、風のエネルギーを水のエネルギーに替える技術として、幅広く利用できるものである。
【符号の説明】
【００１６】
Ａ  〜  Ｊ    風車
ａ  〜  ｊ    水車
Ａ’〜  Ｊ’  連結装置
ａ’〜  ｊ’  貯水槽
ｋ            ダム
【図１】
0003189449.tif 000003
【図２】
0003189449.tif 000004
(57)【要約】      （修正有）【課題】従来の枕は堅く使用していても頭が痛く不快な感じがしたが、枕が上下することにより体全体が楽になり気分よく休める無段変更枕を提供する。【解決手段】枕の後方中央に手回しハンドル３を設け枕の中に固定して設置したスプリングと枕の後方中央のハンドル３を直結させハンドルを回してスプリングの伸び縮を応用して枕が上下作動する枕の高さが無段変更になる。枕は硬い材質のため頭を保護するために柔らかいクッション付の枕カバー２を取り付けた【選択図】図１
0003189492.tif 000002
【実用新案登録請求の範囲】
【請求項１】
枕カバー▲２▼を手動で下に下ろし、上に伸ばす時はスプリング▲１▼を上げる
都合の良い位置で使用する時はハンドル▲３▼を廻す
【考案の詳細な説明】
【技術分野】
【０００１】この考案は肘を曲げて枕にし、頭を上げて休憩する枕
【背景技術】
【０００２】従来は普通の堅い枕で頭が痛く、枕の上下が出来ないので不快であった
【先行技術文献】
【０００３】
【特許文献】
【特許文献】  特開００００−００００００号公報
【考案の概要】
【考案が解決しようとする課題】
【０００４】従来の枕は堅いので上下が出来るように無段式変更枕にする
【課題を解決するための手段】
【０００５】▲１▼  レバー操作で上げて  ▲２▼  枕を押さえて下げる
【考案の効果】
【０００６】従来は枕が上下しなかったので頭が痛く不快であったが、上下することで体が楽になった
【図面の簡単な説明】
【０００７】
【図１】
0003189492.tif 000003
【図２】
0003189492.tif 000004
【考案を実施するための形態】
【０００８】以下、本考案を実施するための形態について説明する
スプリング▲１▼を伸ばして枕を上にする
枕カバー▲２▼を手動で下に下ろす
ハンドル▲３▼で止めて都合の良い位置で使用する
本考案は以上のような構造である
【符号の説明】▲１▼  スプリング
▲２▼  枕カバー
▲３▼  ハンドル
【図１】
0003189492.tif 000005
【図２】
0003189492.tif 000006
【手続補正書】
【提出日】平成25年9月30日(2013.9.30)
【手続補正１】
【補正対象書類名】実用新案登録請求の範囲
【補正対象項目名】全文
【補正方法】変更
【補正の内容】
【実用新案登録請求の範囲】
【請求項１】
レバー（スプリング）▲１▼の操作で枕▲２▼を上下して自分の体の位置の快適なところで上下ハンドル▲３▼を廻して体の心地よいところで止めて使用する「無段式変更枕」である。
【手続補正２】
【補正対象書類名】明細書
【補正対象項目名】０００７
【補正方法】変更
【補正の内容】
【０００７】
【図１】図１は本考案の無段式変更枕の内部のフレーム及びスプリング▲１▼の「右側側面」である。
【図２】図２は本考案の無段式変更枕のハンドル▲３▼を廻して枕カバーの付いた完成状態の「斜視図」である。
【手続補正書】
【提出日】平成25年12月24日(2013.12.24)
【手続補正１】
【補正対象書類名】実用新案登録請求の範囲
【補正対象項目名】全文
【補正方法】変更
【補正の内容】
【実用新案登録請求の範囲】
【請求項１】
枕の後方中央に手回しハンドル（３）を設け枕の中に固定して設置したスプリング（１）と枕の後方中央のハンドル（３）を直結させハンドルを回してスプリング（１）の伸び縮を応用して枕が上下作動する枕の高さが無段変更になる、    枕は硬い材質のため頭を保護するために柔らかいクッション付の枕カバー（２）を取り付けた無段変更枕。
(57)【要約】      （修正有）【課題】洋服の衿などちょっとした身近なところに保持できるような機能を持たせたクリップ付き携帯電子機器を提供する。【解決手段】携帯式電子機器のカバー１の裏側に、洋服や衿のポケット、カバンの一部等に、挟んで保持できる強度を持ったクリップ２を取り付けたことを特徴とする。【選択図】図１
0003189498.tif 000002
【実用新案登録請求の範囲】
【請求項１】
携帯式電子機器のカバーに、洋服の衿やポケット、カバンの一部分等に、挟んで保持できる強度を持ったクリップを取り付ける。
【考案の詳細な説明】
【技術分野】
【０００１】  本考案は、携帯電話やスマートフォンやデジタル音楽再生機器などの携帯電子機器のカバーに関するものである。
【背景技術】
【０００２】  従来、携帯電話やスマートフォンなど携帯電子機器のカバーにはクリップがついていなかった。
【考案の概要】
【考案が解決しようとする課題】
【０００３】  上着のポケットなどにしっかり保管でき且つさっと取り出せる形態の携帯電子機器のカバーを提供する。
【課題を解決するための手段】
【０００４】  本考案は、携帯電子機器カバ−にクリップを付けて、ポケットなどにしっかり留めることができるようにする。
【考案の効果】
【０００５】  カバーにクリップがついているので、ポケットだけではなく、例えば洋服の衿とかカバンの一部とかに留めて音楽ソフトなどを聴きながら空いた手で本を読むことなどが出来る。
【図面の簡単な説明】
【０００６】
【図１】携帯電子機器に取り付けられたカバーにクリップを付けた図。
【考案を実施するための形態】
【０００７】  従来の、携帯式電子機器のカバーの裏側に、洗濯はさみ式のクリップを取り付ける。
【実施例】
【０００８】  以下添付図に従って、一実施例を説明する。
１は、携帯式電子機器に取り付けられたカバー。２は、カバーに取り付けられたクリップ。
【符号の説明】
【０００９】１  携帯式電子機器のカバー
２  カバーに取り付けられたクリップ
【図１】
0003189498.tif 000003
【手続補正書】
【提出日】平成25年12月5日(2013.12.5)
【手続補正１】
【補正対象書類名】実用新案登録請求の範囲
【補正対象項目名】全文
【補正方法】変更
【補正の内容】
【実用新案登録請求の範囲】
【請求項１】
携帯電子機器のカバーに、洋服や衿のポケット、カバンの一部分等に、挟んで保持できる強度を持ったクリップを取り付けたクリップ付き携帯電子機器。